(57)【要約】【課題】本発明は、空のトレイを嵩張らずに積み重ねできるトレイに関する。【解決手段】上面が開放のトレイ本体１ａに物品を収納し、縦縁部２１に凹部３１と凸部３２を形成すると共に、凹部３１に、基台１０と水平部２２の間の高さ位置に、縦縁部２１から突出して中載置台３３を形成する。【選択図】図１
2010149922.tif 000002
【特許請求の範囲】
【請求項１】
上面が開放のトレイ本体内に物品を配列する収納部が形成してあり、その周囲に縁部を形成の箱状の物品収納のトレイであって、
前記トレイの上縁部と下縁部、及び、右縁部と左縁部の形状は同じであり、
前記上縁部と下縁部の基台上に縦縁部が立設され、その縦縁部から前記収納部にかけて水平部が形成され、
前記縦縁部に凹部と凸部を形成すると共に、前記凹部に前記基台と水平部の間の高さ位置に縦縁部から突出して中載置台を形成する物品収納のトレイ。
【請求項２】
収納部の左右端に物品を載置するための支持溝を形成し、この支持溝には浅い位置で支持する支持溝と深い位置で支持する支持溝が交互に形成して千鳥状態で多くの本数を配列できる請求項１の物品収納のトレイ。
【請求項３】
トレイ本体内に形成の支持溝を左右方向と上下方向に物品を収納可能に形成する請求項１又は請求項２の物品収納のトレイ。
【請求項４】
トレイ本体内に形成の支持溝の両側に、物品を持ち上げる操作部材を挿入の持ち上げ溝を形成する請求項２又は請求項３のトレイ。
【発明の詳細な説明】
【技術分野】
【０００１】
本発明は、物品を収納した状態のトレイが空になった後、その空のトレイを嵩張らずに積み重ねできるトレイに関する。
【背景技術】
【０００２】
積み重ね可能なトレイとして、特開平０９−２０７９４０号公報がある。この公報によると、上面を開放した直方体状に製箱した通常のトレイであり、底面板（２０）と左右の側面板（４０、４０）との連設部に積重ね繋止孔（ａ、ａ）を、左右の側面板（４０、４０）と側面内板（４１、４１）との連設部に積重ね繋止突起（ｂ、ｂ）を、製箱片（３２、３２、３２、３２）の上辺に補助繋止突起（ｃ、ｃ）を、それぞれ設けてある。
そして、それぞれの積重ね繋止突起（ｂ、ｂ、ｂ、ｂ）の跡孔に、２個の補助繋止突起（ｃ、ｃ）をそれぞれ挿入して積重ね可能なトレイとなる。
【特許文献１】特開平０９−２０７９４０号公報
【発明の開示】
【発明が解決しようとする課題】
【０００３】
前記開示のトレイは、物品を収納した状態で積み重ねると、上トレイの繋止突起（ｂ、ｂ、ｂ、ｂ）が下トレイの積重ね繋止孔（ａ、ａ）に挿入され、一体となって搬送されて、積み重ねたトレイがずれたり倒れたりすることがない。
しかしながら、このトレイは空になった後においても、前記物品が収納されている状態と同様に、上トレイの繋止突起（ｂ、ｂ、ｂ、ｂ）を下トレイの積み重ね繋止孔（ａ、ａ）に挿入した状態で搬送することになる。
従って、この従来のトレイは、物品の有無に拘らず、嵩張る状態で搬送しなければならず不経済である。
そこで、本願は、空になったトレイを搬送するに当たって、物品の収納時に比して嵩張らないのトレイを提供する。
【課題を解決するための手段】
【０００４】
請求項１の物品収納のトレイは、上面が開放のトレイ本体内に物品を配列する収納部が形成してある。又、トレイの上縁部と下縁部、及び、右縁部と左縁部の形状は同じであり、上縁部と下縁部の基台上に縦縁部が立設され、その縦縁部から前記収納部にかけて水平部が形成されている。
そして、縦縁部に凹部と凸部を形成すると共に、前記凹部に前記基台と水平部の間の高さ位置に、縦縁部から突出して中載置台を形成する。
【０００５】
この物品収納のトレイは、収納部内に物品を収納して、既に物品を収納のトレイの上に載置すると、上のトレイの基台が下のトレイの中載置台に載置される。  この中載置台は、物品を収納部内に収納して、トレイを積み重ねても、上のトレイの底が物品に触れないし、積み重ねた姿態は、前記中載置台の高さまで重なった状態で積み上げられるので、１個のトレイの高さより低く重なって積むことができる。
一方、空になったトレイは、前記物品収納状態のトレイの位置を１８０゜水平回転して積み重ねると、上のトレイは下のトレイに形成の中載置台に載置せず、凹部と凹部、凸部と凸部が重なった状態で積み上げることになるので、低い状態で搬送ができる。
【０００６】
この請求項２の物品収納のトレイは、収納部の左右端に物品を載置するための支持溝が形成してあり、この支持溝には浅い位置で支持する支持溝と深い位置で支持する支持溝が交互に形成されていて千鳥状態で多くの本数を配列できるようになっている。
又、請求項３の物品収納のトレイは、トレイ本体内に形成の支持溝を左右方向と上下方向に物品を収納可能に形成してあるので、複数段で収納することができる。
又、請求項４の物品収納トレイは、トレイ本体内に形成の支持溝の両側に、物品を持ち上げる操作部材を挿入の持ち上げ溝が形成してあるので、この持ち上げ溝に、例えば、ロボットのマニュピレータを挿入して取り出すことができる。
【発明の効果】
【０００７】
本願発明の請求項１の物品収納のトレイは、物品を収納したトレイを積み重ねて搬送できるし、空になったトレイは、前記物品を収納したトレイを１８０゜水平回転して積み重ねることによって、更に、積み重ね部分が多くなって低い状態となるので、搬送時に要する容積が少なくて済む。
又、請求項２の物品収納のトレイは、物品を千鳥状に収納でき、多くの物品の収納を可能にしている。
又、請求項３の物品収納のトレイは物品を複数段で収納することができる。
又、請求項４の物品収納トレイは、持ち上げ溝によって、自動化を図ることができる。
【発明を実施するための最良の形態】
【０００８】
以下、図面を参照しながら本発明の実施の形態を説明する。
図１は、本発明によるトレイの斜視図、図２は平面図、図３は図２のＡ〜Ａ断面図、図４は図２のＢ〜Ｂ断面図である。
このトレイ１には、物品２として、精密なゴムローラが収納され、ゴムローラを収納した状態で積み重ね可能である。尚、ゴムローラ２は芯棒に、両端を除いてゴムライニングが施してある。
一方、このトレイ１は、空になったとき、前後左右を逆にする、即ち、１８０゜水平回転して積み重ねると、重なる部分が多くなり、前記物品２（ゴムローラ）を収納した状態で積み重ねた高さに比して、低い状態で積み重ねることができる。
【０００９】
トレイ本体１ａは、上面が開放された直方体状であり、薄板状の合成樹脂で一体形成で製作されている。
トレイ本体１ａの上面には、物品２を配列する収納部５が形成してあり、その周囲には縁部６が形成してある。この縁部６には上縁部６Ａと下縁部６Ｂ及び右縁部６Ｃと左縁部６Ｄで構成してあり、上縁部６Ａと下縁部６Ｂは同じであり、右縁部６Ｃと左縁部６Ｄは同じである。
右縁部６Ｃ（左縁部６Ｄ）には、基台１０と、その基台１０上に複数個の波部を形成の左右縦縁部１１と、この左右縦縁部１１から収納部５にかけての水平部１２とから構成されている。
又、前記基台１０上に形成の左右縦縁部１１には、凹部１５と凸部１６を形成してあり、その凹部１５には、前記基台１０と水平部１２の間の高さに、左右中載置台１８が左右縦縁部１１から突出して形成してある。尚、前記凹部１５と凸部１６は連続して複数個、形成してあるので波形になっている。
【００１０】
又、上縁部６Ａ（下縁部６Ｂ）は、基台１０と、その基台１０上に形成の縦縁部２１と、縦縁部２１から収納部５との間の水平部２２とから構成され、その水平部２２の内側に前記収納部５が形成してある。
また、前記収納部５の底部２３は、前記基台１０より高く形成してある。前記収納部５の底部２３には強度保持のために、僅かな凹凸面２４が形成されている。
又、収納部５の左右端には、物品を載置するために、下方向に先細りのテーパ状の支持溝２５が、複数個、形成されている。尚、この支持溝２５（２５ａ、２５ｂ）は、浅い位置で支持する支持溝２５ａと、深い位置で支持する支持溝２５ｂが交互に形成されていて、千鳥状態で多くの物品２を配列できるようになっている。又、前記支持溝２５の両側には、物品を持ち上げるために、操作部材を挿入して取り出すことができる持ち上げ溝４０が形成してある。収納されている物品は、例えば、ロボットによる一対のマニュピレータを、持ち上げ溝４０、４０に挿入して、芯棒を支持して取り出すことができる。この様に、ロボットを介して物品を取り出すことによって、自動化を図ることができる。
尚、この支持溝２５は、トレイに収納する物品によっては不要である。
【００１１】
前記基台１０上に形成の縦縁部２１には、凹部３１と凸部３２が形成してあり、その凹部３１には、前記基台１０と水平部２２の間の高さに、中載置台３３が縦縁部２１から突出して形成してある。尚、前記凹部３１と凸部３２は連続して複数個、形成してあるので波形になっている。
尚、前記基台１０と水平部２２の間の高さに形成の中載置台３３は、後述するが、物品２を収納したとき、上のトレーの底部２３が物品２に抵触しない高さに形成されている。
又、前記左右中載置台１８と中載置台３３は、何れか一方に形成してあれば、トレー１を積み重ねたとき崩れないので、必ずしも、双方に形成する必要はない。又、前記左右中載置台１８と中載置台３３の形成個数は、任意であるし、その形状も任意である。
【００１２】
次に前記トレイ１の使用方法について説明すると、先ず、トレイ１の収納部５に形成の支持溝２５に、物品（ゴムローラ）２の芯棒の両端部を載置する。そして、物品２が収納されたトレイ１を、既に物品が収納された他のトレイ１に載置する。
この時、トレイ１を載置する方向があり、下のトレイの中載置台３３に、上のトレイの基台１０が載置するように積み重ねられ、前記上のトレイの底部２３と下のトレイの底部２３の間には、物品２が底部２３に抵触しない隙間が形成されて積み重ねることができる。
従って、物品が収納されたトレイを積み重ねると、その高さは積み重ねた数のトレイの高さではなく、トレイ１個当たり、水平部から中載置台の高さを引いた高さで積み上げることができる。
尚、凹部１５が左右中載置台１８が形成されているときには、下のトレイの左右中載置台１８に、上のトレイの基台１０が載置する。
【００１３】
次に、空のトレイを積み重ねるときには、前記物品が収納状態のトレイを積み重ねるのと異なり、１８０゜水平回転した状態で積み重ねると、下のトレイの凹部１５に上のトレイの凹部１５が重なり、下のトレイの凸部１６に上のトレイの凸部１６が重なりあうことができ、下のトレイの基台１０と上のトレイの基台１０とに僅かな隙間を有して、積み重ねることができる。
その結果、空のトレイを積み重ねても、トレイの高さは低くて済み、搬送に要する容積が少なくて済む。
【００１４】
又、図５に示す平面図は、他のトレイ１Ａであり、図２に示すトレイ１と同じ機能には同じ符号を附して説明を略す。
このトレイ１Ａは、物品２Ａ、２Ｂを左右方向と上下方向の２段に収納可能に形成してある。即ち、図１に示す支持溝２５（２５ａ、２５ｂ）が、トレイ１の左右方向のみに物品２Ａの収納ができるが、図５に示すトレイ１Ａは、双方向に収納できる。そのため、ある物品２Ａを左右方向に、下段に収納し、他の物品２Ｂを上下方向に、上段に収納する。
そのため、トレイ１Ａの左右方向には、支持溝２５を形成し、上下方向には支持溝２６を形成する。
【００１５】
この様に、トレイ１Ａは、２段に物品を収納でき、且つ、空の状態のときには、トレイ１Ａを厚みを薄くした状態で重ねることができる。尚、この図５に示すトレイ１Ａは、図２に示す左右に於ける左右中載置台１８が形成してないが、１８０゜水平回転することによって、積み重ねた状態の高さを変えることができる点は同じである。
尚、前記のトレイ１Ａは、２段構成であるが、更に、多くの段数に積層可能に構成してもよい。又、支持溝２５、支持溝２６は、物品の形状等を考慮した上で形状を選定する。
【００１６】
尚、収納部内に物品を収納するが、物品によっては支持溝を備える必要がないことはいうまでもない。即ち、本願発明のトレイは、物品収納時のトレイと空のトレイを積み重ねるとき、１８０゜水平回転することによって、積み重ねた状態の高さを変えることができることに特徴がある。又、本願のトレイは、複数段で物品を収納できるように形成してある。
【図面の簡単な説明】
【００１７】
【図１】トレイの斜視図である。
【図２】トレイの平面図である。
【図３】図２のＡ〜Ａ断面図である。
【図４】図２のＢ〜Ｂ断面図である。
【図５】他のトレイの平面図である。
【符号の説明】
【００１８】
１  トレイ
１ａ  トレイ本体
１Ａ  トレイ
２  物品
５  収納部
６Ａ  上縁部
６Ｂ  下縁部
６Ｃ  右縁部
６Ｄ  左縁部
１０  基台
１１  左右縦縁部
１５  凹部
１６  凸部
１８  左右中載置台
２１  縦縁部
２２  水平部
２５（２５ａ、２５ｂ）  支持溝
２６  支持溝
３１  凹部
３２  凸部
３３  中載置台
【図１】
2010149922.tif 000003
【図２】
2010149922.tif 000004
【図３】
2010149922.tif 000005
【図４】
2010149922.tif 000006
【図５】
2010149922.tif 000007